(57)【要約】【課題】回りムラに起因する問題点を、可動物の動作を制御することによって解決し、遊技者及びホールの両者に利益を与えることが可能になるパチンコ遊技機を提供すること。【解決手段】パチンコ遊技機は、遊技球４の入賞により所定の遊技を開始させる始動入賞口６の上方に、可動物１２を備えるステージ装置１１を設けたパチンコ遊技機であり、遊技者が発射した遊技球４を計数する発射球計数手段（Ｓ１，Ｓ３）と、発射球計数手段（Ｓ１，Ｓ３）によって計数された発射球４の数が予め定めた計数値に到達するまでの間に始動入賞口６への遊技球４の入賞がないことを条件として、遊技球４が始動入賞口６へ入賞しやすくなるように可動物１２の動作を制御するとともに、該動作制御中に遊技球４が始動入賞口６へ入賞したとき該動作制御を解除する可動物制御手段（Ｓ２，Ｓ４，Ｓ５，Ｓ６，Ｓ７，Ｓ８，Ｓ９）とを備える。【選択図】図６
2005253598.tif 000002
【特許請求の範囲】
【請求項１】
遊技球の入賞により所定の遊技を開始させる始動入賞口の上方に、可動物を備えるステージ装置を設けたパチンコ遊技機において、
遊技者が発射した遊技球を計数する発射球計数手段と、
該発射球計数手段によって計数された発射球の数が予め定めた計数値に到達するまでの間に前記始動入賞口への遊技球の入賞がないことを条件として、遊技球が始動入賞口へ入賞しやすくなるように前記可動物の動作を制御するとともに、該動作制御中に遊技球が始動入賞口へ入賞したとき該動作制御を解除する可動物制御手段と
を設けたことを特徴とするパチンコ遊技機。
【請求項２】
前記可動物制御手段は、前記始動入賞口への遊技球の入賞がない状態において、前記発射球計数手段が予め定めた数の発射球を計数する毎に、遊技球の始動入賞口への入賞のしやすさが段階的に高まるよう前記可動物の動作を制御することを特徴とする請求項１に記載のパチンコ遊技機。
【発明の詳細な説明】
【技術分野】
【０００１】
本発明は、パチンコ遊技機、詳しくは、遊技球の入賞により所定の遊技を開始させる始動入賞口の上方に、可動物を備えるステージ装置を設けたパチンコ遊技機に関する。
【背景技術】
【０００２】
パチンコ遊技機として、遊技者が発射した遊技球が複雑に転動する遊技領域に大入賞口、始動入賞口などを配置するとともに、遊技領域で囲まれた遊技盤中央部に液晶等の図柄表示装置を配置し、マイクロコンピュータの実装された制御基板において、始動入賞口への遊技球の入賞を条件として、大当たり（遊技者にとって特典となる遊技状態であり、大入賞口を所定ラウンド数だけ間欠的に開口させ、開口した大入賞口へ多数の遊技球を入賞可能にする遊技状態）を発生させるか発生させないかの抽選、リーチ（大当たり前に行われる遊技状態）を発生させるか発生させないかの決定、図柄表示装置の変動表示態様の選定、図柄表示装置において変動表示を停止させた時の表示図柄（大当たり図柄、ハズレ図柄）をどの図柄にするかの決定などを行い、この抽選結果、決定などに基づいて図柄表示装置の図柄変動を制御するパチンコ遊技機が知られている。
【０００３】
そして、一部のパチンコ遊技機は、始動入賞口の上方に、可動物を備えるステージ装置を設け、可動物の動作によってステージ上から始動入賞口への遊技球の入賞を容易にしたり、困難にするよう構成されている（例えば特許文献１参照）。
【特許文献１】特開２０００−１６７１１８公報（第２頁［０００２］等）
【発明の開示】
【発明が解決しようとする課題】
【０００４】
しかし、パチンコ遊技機は、通常、入賞が容易になる状態と困難になる状態が不定期に現われ（このような現象は一般に「回りムラ」と称される。）、始動入賞口への入賞が困難な状態のとき、遊技を続けることは遊技球の無駄使いとなり遊技者に不利益を与え、一方遊技を中断することは遊技台の稼働率が低下しホール側に不利益を与えることになる。
【０００５】
本発明は、上記のような回りムラに起因する問題点を、上記のような可動物の動作を制御することによって解決し、遊技者及びホールの両者に利益を与えることが可能になるパチンコ遊技機を提供することを目的とする。
【課題を解決するための手段】
【０００６】
本発明のパチンコ遊技機は、遊技球の入賞により所定の遊技を開始させる始動入賞口の上方に、可動物を備えるステージ装置を設けたパチンコ遊技機において、遊技者が発射した遊技球を計数する発射球計数手段と、該発射球計数手段によって計数された発射球の数が予め定めた計数値に到達するまでの間に前記始動入賞口への遊技球の入賞がないことを条件として、遊技球が始動入賞口へ入賞しやすくなるように前記可動物の動作を制御するとともに、該動作制御中に遊技球が始動入賞口へ入賞したとき該動作制御を解除する可動物制御手段とを設けたことを特徴とする。
【０００７】
本発明によると、回りムラにより始動入賞口への入賞が困難になる状態が発生したとき、遊技者が遊技を続けると、可動物の動作制御により始動入賞口への入賞が容易になる。このため、遊技者は遊技を続けることによって始動入賞口への入賞という利益を得ることができ、また、ホールは、遊技者が遊技を続けることによって遊技台の稼働率が上昇するという利益を得ることができる。
【０００８】
前記可動物制御手段は、前記始動入賞口への遊技球の入賞がない状態において、前記発射球計数手段が予め定めた数の発射球を計数する毎に、遊技球の始動入賞口への入賞のしやすさが段階的に高まるよう前記可動物の動作を制御する。
【０００９】
したがって、始動入賞口への入賞が無い状態が長くなるにしたがって始動入賞口への入賞が段階的に容易になり、遊技者の利益が担保される。
【発明を実施するための最良の形態】
【００１０】
以下、本発明の実施形態を図面に基づいて説明する。
【００１１】
図１は、本発明の一実施形態に係るパチンコ遊技機の概略正面図、図２は、ステージ装置の斜視図、図３は、ステージ装置の要部の斜視図、図４は、可動物の動作説明図、図５は、パチンコ遊技機の電気系統の要部構成図、図６は、可動物制御の内容を表したフローチャートをそれぞれ示す。
【００１２】
図１において、１は遊技盤を表す。
【００１３】
遊技盤１の盤面には、レール２で囲まれた遊技領域３が形成されており、遊技領域３には、遊技者によって発射され誘導レール２１を経て遊技領域３に案内されてきた遊技球（発射球）４に複雑な転動を与えるための風車５などが設けられており、また、遊技領域３内において最終的に遊技球４を入賞させるための始動入賞口６など入賞口、大当たり発生時に所定ラウンド数だけ間欠的に開口状態となる大入賞口７などの他、入賞しなかった遊技球４を最終的に遊技盤１の裏面側に排出するためのアウト口８が設けられている。
【００１４】
また、遊技領域３で囲まれた遊技盤中央部には、表示画面９ａ上で各種演出などを行なう液晶等の図柄表示装置９が配設されている。図柄表示装置９の表示画面９ａの下方かつ始動入賞口６の上方には、案内通路１０を経てステージ１１ａ上に案内されてきた遊技球４を可動物１２の動作によってステージ１１ａ上から始動入賞口６への入賞を容易にしたり、困難にするステージ装置１１が設けられている。
【００１５】
図２に示すように、ステージ装置１１は、遊技球４が左右方向へ転動可能な通路１１ｂ，１１ｃ，１１ｄを前後方向に３列有し、最後列の通路１１ｂには左右一対のジャンプ台１１ｅが形成され、一対のジャンプ台１１ｅの間に左右方向へ移動するキャッチャー（可動物）１２が配されている。
【００１６】
図２及び図３に示すように、キャッチャー１２は、ジャンプ台１１ｅからジャンプした遊技球４を受け入れ可能な開口部１２ａを有しており、開口部１２ａから入った遊技球４は、扉１３を自重で開け、扉１３の真下に位置する始動入賞口６に入賞し易くなる。なお、開口部１２ａに入らなかった遊技球４は、中央列の通路１１ｃを経て最前列の通路１１ｄの不特定位置から落下し、始動入賞口６への入賞は困難になる。
【００１７】
図４（Ａ），（Ｂ），（Ｃ），（Ｄ）に順に示すように、キャッチャー１２は、ステージ用モーター１４により回転するカム１５によって左右方向へ移動するスライダーと一体となって左右方向へ往復移動する。キャッチャー１２の動作速度は、開口部１２ａへの遊技球４の入り易さと大きく関係しており、動作速度が速いときには、ジャンプしてきた遊技球４をキャッチャー１２が跳ね返して開口部１２ａへの入球が困難になり、一方、動作速度が遅いときには、キャッチャー１２の跳ね返しが弱くなり開口部１２ａへの入球が容易になる。
【００１８】
図５に示すように、電気系統は、ＣＰＵ，ＲＯＭ，ＲＡＭ，Ｉ／Ｏなどからなる遊技制御基板（メイン基板）５０及び図柄制御基板５１を備える。遊技制御基板５０のＩ／Ｏには、始動入賞口６への入賞を検出するための始動スイッチ（ＳＷ）５２、大当たり発生時に所定ラウンド数だけ開口する大入賞口７への入賞を検出するための大入賞口スイッチ（ＳＷ）５３、大当たり発生時に大当たりを継続させるための必要条件である継続入賞口（図示せず）への入賞を検出するための継続スイッチ（ＳＷ）５４、大入賞口７を開口する駆動源としての大入賞口ソレノイド５５、キャッチャー１２の駆動源としてのステージ用モーター１４、遊技領域３に入った発射球４を検出するための発射球スイッチ（ＳＷ）５６などが電気的に接続されている。図柄制御基板５１のＩ／Ｏには、図柄表示装置９などが電気的に接続されている。発射球ＳＷ５６は、例えば、図１において誘導レール２１の出口部２１ａに設けられ、発射球４が誘導レール２１の出口を出て遊技領域３内に入ったことを検出するマイクロスイッチなどで構成することができる。
【００１９】
遊技制御基板５０は、公知の遊技制御基板と同様、始動入賞口６への遊技球４の入賞を条件として、大当たりを発生させるか発生させないかの抽選、リーチを発生させるか発生させないかの決定などを行う他、後述するようなキャッチャー１２の動作制御を行なう。図柄制御基板５１は、公知の図柄制御基板と同様、図柄表示装置９の変動表示態様の選定、図柄表示装置９において変動表示を停止させた時の表示図柄（大当たり図柄、ハズレ図柄）をどの図柄にするかの決定などを行う。
【００２０】
遊技制御基板５０は、図６に示すようなキャッチャー１２の動作制御を行なう。
【００２１】
このキャッチャー１２の動作制御は、発射球ＳＷ５６及び始動ＳＷ５２からの各信号に基づいてキャッチャー１２の動作速度をステージ速度０（停止状態）からステージ速度５（最速状態）までの６段階の速度で切替制御するものである。
【００２２】
具体的には、
１）キャッチャー１２の動作速度は最速のステージ速度５に初期設定されている。
【００２３】
２）始動ＳＷ５２がＯＮしない間つまり始動入賞口６への入賞がない間の発射球数を計数し（Ｓ１，Ｓ３）、発射球数（発射球数の計数値）が１０になると動作速度をステージ速度５からステージ速度４へ減速し（Ｓ４，Ｓ５，Ｓ６，Ｓ７）、発射球数が２０になると動作速度をステージ速度４からステージ速度３へ減速し（Ｓ４、Ｓ５，Ｓ６，Ｓ７）、発射球数が３０になると動作速度をステージ速度３からステージ速度２へ減速し（Ｓ４、Ｓ５，Ｓ６，Ｓ７）、発射球数が４０になると動作速度をステージ速度２からステージ速度１へ減速し（Ｓ４、Ｓ５，Ｓ６，Ｓ７）、発射球数が５０になると動作速度をステージ速度１からステージ速度０（停止状態）へ減速する（Ｓ４、Ｓ５，Ｓ６，Ｓ７）。したがって、始動入賞口６への入賞が無い期間が長くなるにしたがってキャッチャー１２の動作速度が減速してゆき、キャッチャー１２への入球が容易になる。
【００２４】
３）始動ＳＷ５２がＯＮすると、動作速度を初期速度であるステージ速度５へ戻すとともに発射球数の計数値を０にリセットする（Ｓ２、Ｓ８，Ｓ９）。
【００２５】
以上説明したように、本実施形態のパチンコ遊技機は、遊技球４の入賞により所定の遊技を開始させる始動入賞口６の上方に、可動物１２を備えるステージ装置１１を設けたパチンコ遊技機において、遊技者が発射した遊技球４を計数する発射球計数手段（Ｓ１，Ｓ３）と、発射球計数手段（Ｓ１，Ｓ３）によって計数された発射球４の数が予め定めた計数値に到達するまでの間に始動入賞口６への遊技球４の入賞がないことを条件として、遊技球４が始動入賞口６へ入賞しやすくなるように可動物１２の動作を制御するとともに、該動作制御中に遊技球４が始動入賞口６へ入賞したとき該動作制御を解除する可動物制御手段（Ｓ２，Ｓ４，Ｓ５，Ｓ６，Ｓ７，Ｓ８，Ｓ９）とを設けた。
【００２６】
本実施形態によると、回りムラにより始動入賞口６への入賞が困難になる状態が発生したとき、遊技者が遊技を続けると、可動物１２の動作制御により始動入賞口６への入賞が容易になる。このため、遊技者は遊技を続けることによって始動入賞口６への入賞という利益を得ることができ、また、ホールは、遊技者が遊技を続けることによって遊技台の稼働率が上昇するという利益を得ることができる。
【００２７】
また、可動物制御手段（Ｓ２，Ｓ４，Ｓ５，Ｓ６，Ｓ７，Ｓ８，Ｓ９）は、始動入賞口６への遊技球の入賞がない状態において、発射球計数手段（Ｓ１，Ｓ３）が予め定めた数の発射球を計数する毎に、遊技球４の始動入賞口６への入賞のしやすさが段階的に高まるよう可動物１２の動作を制御する。
【００２８】
したがって、始動入賞口６への入賞が無い状態が長くなるにしたがって始動入賞口６への入賞が段階的に容易になり、遊技者の利益が担保される。
【図面の簡単な説明】
【００２９】
【図１】本発明の一実施形態に係るパチンコ遊技機の概略正面図である。
【図２】ステージ装置の斜視図である。
【図３】ステージ装置の要部の斜視図である。
【図４】可動物の動作説明図である。
【図５】パチンコ遊技機の電気系統の要部構成図である。
【図６】可動物制御の内容を表したフローチャートである。
【符号の説明】
【００３０】
４    遊技球
６    始動入賞口
１１    ステージ装置
１２    可動物
Ｓ１，Ｓ３    発射球係数手段
Ｓ２，Ｓ４，Ｓ５，Ｓ６，Ｓ７，Ｓ８，Ｓ９    可動物制御手段
【図１】
2005253598.tif 000003
【図２】
2005253598.tif 000004
【図３】
2005253598.tif 000005
【図４】
2005253598.tif 000006
【図５】
2005253598.tif 000007
【図６】
2005253598.tif 000008